(57)【要約】【課題】  配電系統システムに複数の分路リアクトルが連系されている場合においても、適切なタイミングで分路リアクトルを投入すべく各分路リアクトルにそれぞれ適切な投入電圧を設定することで、適正電圧の逸脱を招くことなく、重負荷から軽負荷へのスムーズな移行を図ることを目的としている。【解決手段】  本発明にかかるリアクトル設定方法の代表的な構成は、複数の分路リアクトル１４０の投入を無効化し、配電系統システム１００に連系された負荷１３０が低下したときの、送出電圧と、バンク電流と、複数の分路リアクトルの各設置点の電圧と、を複数の時点で測定し、送出電圧とバンク電流との変動軌跡の近似曲線が所定電圧範囲から外れる移行点を導出し、移行点における複数の分路リアクトルの設置点の電圧を、それぞれ対応する分路リアクトルの投入電圧として設定することを特徴とする。【選択図】    図７
2010068599.tif 000002
【特許請求の範囲】
【請求項１】
配電系統システムの配電線に連系される複数の分路リアクトルを設定するリアクトル設定方法であって、
前記複数の分路リアクトルの投入を無効化し、
前記配電系統システムに連系された負荷が低下したときの、送出電圧と、バンク電流と、前記複数の分路リアクトルの各設置点の電圧と、を複数の時点で測定し、
前記送出電圧とバンク電流との変動軌跡の近似曲線が所定電圧範囲から外れる移行点を導出し、
前記移行点における前記複数の分路リアクトルの設置点の電圧を、それぞれ対応する分路リアクトルの投入電圧として設定することを特徴とするリアクトル設定方法。
【請求項２】
前記複数の分路リアクトルの各設置点の電圧は、該分路リアクトルに近設する開閉器の電圧および電流と、該開閉器と該分路リアクトルとを結ぶ配電線の線路インピーダンスとから導出することを特徴とする請求項１に記載のリアクトル設定方法。
【請求項３】
系統電源と、該系統電源から負荷へ電力を供給する配電線に連系される複数の分路リアクトルと、からなる配電系統システムであって、
前記分路リアクトルは、
自体の投入を無効化する無効化スイッチと、
前記負荷が低下したときの、自体の設置点の電圧を複数の時点で測定するリアクトル電圧測定部と、
前記系統電源において導出される移行点における自体の設置点の電圧を投入電圧として設定する電圧設定部と、
を備え、
前記系統電源は、
前記複数の時点における、送出電圧とバンク電流とを測定する電源測定部と、
前記送出電圧とバンク電流との変動軌跡の近似曲線が所定電圧範囲から外れる移行点を導出する移行点導出部と、
を備えることを特徴とする配電系統システム。
【請求項４】
自体の投入を無効化する無効化スイッチと、
自体が連系される配電系統システムの負荷が低下したときの、自体の設置点の電圧を複数の時点で測定するリアクトル電圧測定部と、
前記配電系統システムの系統電源における送出電圧とバンク電流とを前記複数の時点で測定した場合の変動軌跡の近似曲線が所定電圧範囲から外れる移行点における自体の設置点の電圧を投入電圧として設定する電圧設定部と、
を備えることを特徴とする分路リアクトル。
【発明の詳細な説明】
【技術分野】
【０００１】
本発明は、進相コンデンサによる位相進みを補償するリアクトル設定方法、配電系統システム、および分路リアクトルに関する。
【背景技術】
【０００２】
配電系統システムにおける需要者の引込口では、電気事業法に定められた範囲に供給電圧を維持しなくてはならない。そのため電圧変動により供給電圧が維持すべき範囲を逸脱しないように電圧を管理する必要がある。
【０００３】
また、需要者は、自己が消費する負荷（誘導性負荷）に進相コンデンサを接続して力率改善を図っている。かかる進相コンデンサによって誘導性負荷の位相遅れが軽減され効率の良い電力供給を実行できる。しかし、需要者の誘導性負荷が軽くなると、固定の進相コンデンサによって位相進みが大きくなり、それに伴って送電端電圧より受電端電圧の方が高くなり、却って電圧の上昇を招くことになる。このような現象をフェランチ現象という。
【０００４】
軽負荷時のフェランチ現象を回避する手段として、負荷が連系された同一バンク内の配電線に分路リアクトル（ＳｈＲ：Shunt Reactor）を接続して進相コンデンサによる位相進みを相殺することが考えられる。分路リアクトルには、自体を投入するための投入電圧、換言すれば自体を動作させない不感帯（例えば、デフォルト１０２〜１０７Ｖ）が設けられ、自体の設置点の電圧がその不感帯を脱した場合に需要者への供給電圧を維持すべく自体を投入してリアクトルを有効に機能させる。
【０００５】
例えば、特許文献１には、単一の高圧配電線の電圧を上昇または降下させるリアクトルやコンデンサを、開閉スイッチを通じて高圧配電線に接続し、その電圧に応じて開閉スイッチを投入または開放する技術が開示されている。
【特許文献１】特開平１１−３３２１０３号公報
【発明の開示】
【発明が解決しようとする課題】
【０００６】
また、フェランチ現象を回避すべく、上述した分路リアクトルを配電系統システムにおける複数の配電線（フィーダ）に接続する場合、各配電線単位で最軽負荷時における電圧計算を行い、適正電圧が維持可能となるように必要数量を導出して、その数量分だけ適切な位置に分路リアクトルを設置することが考えられる。
【０００７】
複数の分路リアクトルをそれぞれの配電線に設置することで、当該配電線の電圧が改善する効果のみならず、配変バンクのインダクタンス成分を介して配電用変電所の送出電圧（送り出し電圧）の改善効果も期待できる。しかし、その分路リアクトルの個々のパラメータ、例えば、不感帯は、接続される個々の配電線の電圧改善のみを目的としているので、他にも分路リアクトルが存在する場合の複合的な動作が保証されず、また、設置判断が他と独立して実行されるため分路リアクトルの過剰設置を招くことにもなりかねなかった。
【０００８】
特許文献１においては、不感帯の電圧値を増減制御することが記載されているものの、具体的な処理については何らの記載もなく、ましてや複数の分路リアクトルを設置する場合の他の分路リアクトルとの連携を考慮した増減制御については何らの示唆もない。
【０００９】
ここで上述した各配電線単位に代えて同一バンク単位で、最軽負荷時における配電用変電所バンクのインダクタンス成分を考慮した電圧計算を行い、適性電圧が維持可能となるように分路リアクトルを必要数設置することも可能である。
【００１０】
このような、最軽負荷時の計算は、すべての分路リアクトルが同時に投入されることを前提に行われる。しかし、実際には、各分路リアクトルの不感帯の設定、および各配電線の負荷の状況に応じて、分路リアクトルの投入タイミングも相異し、特に重負荷から軽負荷に移行するときの各分路リアクトルの投入タイミングの違いによって適正範囲の維持ができなくなる可能性がある。
【００１１】
今後、需要者において力率改善のためのさらなる進相コンデンサの追加が予想されるため、個々の分路リアクトルの対応のみならず、複数の分路リアクトルの総合的な面からも分路リアクトルの設定を見直す必要性が生じている。
【００１２】
本発明は、このような課題に鑑み、配電系統システムに複数の分路リアクトルが連系されている場合においても、配電系統システム全体を考慮した適切なタイミングで分路リアクトルを投入すべく各分路リアクトルにそれぞれ適切な投入電圧を設定することで、適正電圧の逸脱を招くことなく、重負荷から軽負荷へのスムーズな移行を図ることが可能な、リアクトル設定方法、配電系統システム、および分路リアクトルを提供することを目的としている。
【課題を解決するための手段】
【００１３】
上記課題を解決するために、本発明にかかる代表的な構成は、配電系統システムの配電線に連系される複数の分路リアクトルを設定するリアクトル設定方法であって、複数の分路リアクトルの投入を無効化し、配電系統システムに連系された負荷が低下したときの、送出電圧と、バンク電流と、複数の分路リアクトルの各設置点の電圧と、を複数の時点で測定し、送出電圧とバンク電流との変動軌跡の近似曲線が所定電圧範囲から外れる移行点を導出し、移行点における複数の分路リアクトルの設置点の電圧を、それぞれ対応する分路リアクトルの投入電圧として設定することを特徴とする。
【００１４】
需要者の引込口において電気事業法に定められた範囲に供給電圧を維持するため、分路リアクトルの不感帯の上限、即ちリアクトル投入電圧は、通常、１０７Ｖの固定電圧に設定されている。しかし、配電系統システムに複数の分路リアクトルが連系されている場合、投入電圧が等しくとも、配電線への連系数や配電線の負荷に応じてその投入タイミングが異なることとなる。このような状況下において重負荷から軽負荷に移行すると、その途中における投入タイミングのずれによって電圧の変動が大きくなる。本発明では、配電系統システム全体を考慮した適切な投入タイミング（移行点）を導出し、その移行点による同タイミングですべての分路リアクトルを投入することで、適正電圧の逸脱を招くことなく、重負荷から軽負荷へのスムーズな移行を図ることが可能となる。
【００１５】
複数の分路リアクトルの各設置点の電圧は、分路リアクトルに近設する開閉器の電圧および電流と、開閉器と分路リアクトルとを結ぶ配電線の線路インピーダンスとから導出してもよい。
【００１６】
近年の開閉器は、配電系統システムにおける中央の制御装置とリアルタイムな通信が可能であり、かつ、電圧や電流の測定機能が備わっている。本発明では、かかる既存の測定情報を利用して、送出電圧とバンク電流と同時に開閉器の電圧と電流を測定し、線路インピーダンスを用いて分路リアクトルの設置点における電圧を推定する。かかる既存の設備を有効利用する構成により、容易かつ低コストで配電系統システムの安全性を高めることが可能となる。
【００１７】
本発明にかかる他の代表的な構成は、系統電源と、系統電源から負荷へ電力を供給する配電線に連系される複数の分路リアクトルと、からなる配電系統システムであって、分路リアクトルは、自体の投入を無効化する無効化スイッチと、負荷が低下したときの、自体の設置点の電圧を複数の時点で測定するリアクトル電圧測定部と、系統電源において導出される移行点における自体の設置点の電圧を投入電圧として設定する電圧設定部と、を備え、系統電源は、複数の時点における、送出電圧とバンク電流とを測定する電源測定部と、送出電圧とバンク電流との変動軌跡の近似曲線が所定電圧範囲から外れる移行点を導出する移行点導出部と、を備えることを特徴とする。
【００１８】
本発明にかかる分路リアクトルの代表的な構成は、自体の投入を無効化する無効化スイッチと、自体が連系される配電系統システムの負荷が低下したときの、自体の設置点の電圧を複数の時点で測定するリアクトル電圧測定部と、配電系統システムの系統電源における送出電圧とバンク電流とを複数の時点で測定した場合の変動軌跡の近似曲線が所定電圧範囲から外れる移行点における自体の設置点の電圧を投入電圧として設定する電圧設定部と、を備えることを特徴とする。
【００１９】
上述したリアクトル設定方法における技術的思想に対応する構成要素やその説明は、当該配電系統システムや分路リアクトルにも適用可能である。
【発明の効果】
【００２０】
以上説明したように本発明によれば、配電系統システムに複数の分路リアクトルが連系されている場合においても、配電系統システム全体を考慮した適切なタイミングで分路リアクトルを投入すべく各分路リアクトルにそれぞれ適切な投入電圧を設定することで、適正電圧の逸脱を招くことなく、重負荷から軽負荷へのスムーズな移行を図ることが可能となる。
【発明を実施するための最良の形態】
【００２１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
（第１の実施形態：配電系統システム１００）
図１は、配電系統システム１００の概略的な構成を示す説明図である。ここで配電系統システム１００は、系統電源１１０と、配電線１２０と、負荷１３０と、分路リアクトル１４０とを含んで構成される。
【００２３】
系統電源１１０は、配電用変電所等から構成され、配電用変圧器１１２において母線１１４から受電した電力を６．６ｋＶ三相交流５０／６０Ｈｚに変圧し、配電系統システム１００の配電線（高圧配電線）１２０にその電力を配電する。配電線路１２０は、配電用変圧器１１２から分岐し、放射状に広がる並行線路（フィーダ）（Ａ）、（Ｂ）、（Ｃ）から形成されている。
【００２４】
負荷１３０は、電気事業者以外の事業者や需要者が消費する負荷、例えば施設全体を示す。また、負荷１３０には、力率改善用の進相コンデンサ１３２が並列に接続され、誘導性負荷の位相遅れが軽減されている。進相コンデンサ１３２の容量は需要者が任意に設定することができる。従って、少なくとも位相が遅れることのないように過度に大容量の進相コンデンサ１３２が接続される場合もあり得る。
【００２５】
分路リアクトル１４０は、自己のインダクタンス成分により、進相コンデンサ１３２による位相進みを補償する。また、分路リアクトル１４０の容量や連系数は、配電線１２０毎の負荷１３０の量やその負荷１３０に接続された進相コンデンサ１３２の容量に応じて決定される。
【００２６】
ここで、本実施形態の目的を明確にすべく、配電線毎に独立して分路リアクトル１４０を連系した場合の問題点を説明する。
【００２７】
図２は、１つの配電線に複数の分路リアクトルを連系した場合の線路電圧の推移を説明した説明図である。特に、図２（ａ）は、配電線１２０の接続状態を示し、図２（ｂ）は、分路リアクトルの投入タイミングを示し、図２（ｃ）は、線路電圧の推移を示している。
【００２８】
図２（ａ）に示した配電線１２０では、負荷１３０に対して２つの分路リアクトル１４０Ａ、１４０Ｂが連系され、負荷１３０の位相補償を行う。図２（ｂ）に示すように、線路電圧が分路リアクトルの不感帯の上限値１０７Ｖに達すると、まず、分路リアクトル１４０Ａのみが投入され、線路電圧の推移は図２（ｃ）の破線のように推移する。
【００２９】
位相進み電流によるフェランチ現象により線路電圧がさらに上昇し、図２（ｂ）に示すように、線路電圧が分路リアクトルの不感帯の上限値１０７Ｖに達すると、分路リアクトル１４０Ｂも投入され、線路電圧の推移は図２（ｃ）の一点鎖線のように推移する。こうして配電系統システム１００の送出電圧も下がり、効率的に電力が伝送される。
【００３０】
図３は、複数の配電線それぞれに１または複数の分路リアクトルを連系した場合の線路電圧の推移を説明した説明図である。特に、図３（ａ）は、配電線１２０の接続状態、図３（ｂ）〜（ｅ）は、線路電圧の推移を示している。ここでは、３つの配電線１２０Ａ、１２０Ｂ、１２０Ｃにそれぞれ、分路リアクトル１４０Ｃ、１４０Ｄ、１４０Ｅ、１４０Ｆが連系されている。
【００３１】
図２で説明したように、分路リアクトル１４０は、同一の不感帯を設定したとしてもその投入タイミングは同じにならない。異なる配電線１２０であれば、投入タイミングはさらに差が生じ得る。ここでは、図３（ｂ）のように配電線１２０Ｂおよび配電線１２０Ｃの線路電圧が高くなり、分路リアクトル１４０Ｃ、１４０Ｄ、１４０Ｅ、１４０Ｆのうち分路リアクトル１４０Ｄ、１４０Ｅ、１４０Ｆのみが投入されたとする。そうすると配電線１２０Ａ、１２０Ｂ、１２０Ｃすべての配電線の線路電圧が３（ｃ）のように一旦降下する。
【００３２】
さらに時間が経過すると、再度、配電線１２０Ａ、１２０Ｂ、１２０Ｃすべての配電線の線路電圧が上昇し、配電線１２０Ｂおよび１２０Ｃは図３（ｄ）のように所定電圧を上回ってしまう。しかし、未投入の分路リアクトル１４０Ｃが連系される配電線１２０Ａの線路電圧は所定電圧をに達していないので分路リアクトル１４０Ｃは投入されない。そして、配電線１２０Ａ、１２０Ｂ、１２０Ｃすべての配電線の線路電圧がさらに上昇することで配電線１２０Ａの線路電圧が所定電圧に達し分路リアクトル１４０Ｃも投入される。かかる分路リアクトル１４０Ｃの投入により配電線１２０Ａ、１２０Ｂ、１２０Ｃすべての線路電圧が、図３（ｅ）のように、所定電圧以下で落ち着き、配電系統システム１００全体として安定した線路電圧を供給することができる。このような配電線１２０の線路電圧も現行では適正範囲に入っているが、今後、負荷１３０や進相コンデンサ１３２の需要が高くなると、線路電圧が適正範囲を逸脱するおそれがある。
【００３３】
そこで、本実施形態は、配電系統システム１００の複数の配電線１２０に複数の分路リアクトル１４０が連系されている場合においても、配電系統システム１００全体を考慮した適切なタイミングで分路リアクトル１４０を投入すべく各分路リアクトル１４０にそれぞれ適切な投入電圧を設定することで、適正電圧の逸脱を招くことなく、重負荷から軽負荷へのスムーズな移行を図ることを目的としている。本実施形態では、分路リアクトル１４０と系統電源１１０とが特徴付けられる。
【００３４】
（分路リアクトル１４０、系統電源１１０）
図４は、分路リアクトル１４０および系統電源１１０の構成を示したブロック図である。分路リアクトル１４０は、無効化スイッチ２１０と、リアクトル電圧測定部２１２と、電圧設定部２１４と、投入スイッチ２１６と、リアクトル２１８とを含んで構成される。また、系統電源１１０は、電源測定部２５０と、移行点導出部２５２とを含んで構成される。
【００３５】
分路リアクトル１４０の無効化スイッチ２１０は、本実施形態による移行点を導出するまでの間、自体の投入を無効化する。これは、線路電圧が移行点に達するまでに分路リアクトル１４０が投入されると、正確な移行点の導出ができないからである。かかる分路リアクトル１４０の無効化は、図４のようにリアクトル２１８との接続を制御したり、分路リアクトル１４０の本体電源をオフしたり、不感帯の範囲を最大に広げたりすることで実現できる。
【００３６】
分路リアクトル１４０のリアクトル電圧測定部２１２は、自体の設置点の電圧を測定し、リアクトル投入の参照値として電圧設定部２１４に伝達する。また、リアクトル電圧測定部２１２は、移行点を導出する際、負荷１３０が低下している間の複数の時点で自体の設置点の電圧を測定し、その値を保持する。
【００３７】
系統電源１１０の電源測定部２５０は、分路リアクトル１４０が電圧を測定している複数の時点における、送出電圧と、配電用変電所の変圧器に流れるバンク電流とを測定する。
【００３８】
系統電源１１０の移行点導出部２５２は、系統電源１１０が測定した送出電圧とバンク電流との変動軌跡の近似曲線が所定電圧範囲から外れる移行点を導出する。
【００３９】
図５は、移行点の導出を説明するためのイメージ図である。図５では、縦軸を送出電圧、横軸をバンク電流としている。系統電源１１０における送出電圧とバンク電流との複数の時点での測定値がプロットされ、その変動軌跡が求められたと仮定すると、移行点導出部２５２は、その変動軌跡に対して、図５に示すような任意の次数の近似曲線を対応付け、予め定められた所定電圧範囲から外れる点、即ち、所定電圧範囲の上限値２７０と近似曲線との交点を求める。かかる交点が移行点となる。
【００４０】
かかる移行点は、配電系統システム１００の分路リアクトル１４０を投入する適切なタイミングを示す。分路リアクトル１４０の投入タイミングが移行点より遅いと所定電圧範囲を大きく逸脱して需要者の引込口においても適正範囲を逸脱するおそれが生じ、移行点より早いと、非効率な過補償によりコストが増大する。
【００４１】
分路リアクトル１４０の電圧設定部２１４は、系統電源１１０において導出された移行点と同タイミングにリアクトル電圧測定部２１２で測定された自体の設置点の電圧を、投入電圧として設定する。
【００４２】
図６は、投入電圧の設定を説明するための説明図である。デフォルトでは、不感帯が１０２〜１０７Ｖに設定されている。ここで電圧設定部２１４によって新たな投入電圧が設定されると以後はこの投入電圧をトリガにリアクトル２１８が投入されることとなる。かかる投入電圧は、需要者の負荷１３０や進相コンデンサ１３２の容量の変化に応じて、所定期間毎に見直してもよい。
【００４３】
投入スイッチ２１６は、通常の運用において、自体の設置点の電圧が、電圧設定部２１４で設定された投入電圧に達したとき、リアクトル２１８を配電線１２０に接続する役目を担う。
【００４４】
本実施形態では、上述した分路リアクトル１４０および系統電源１１０により、配電系統システム１００全体を考慮した適切な投入タイミング（移行点）を導出し、その移行点による同タイミングですべての分路リアクトル１４０を投入することで、適正電圧の逸脱を招くことなく、重負荷から軽負荷へのスムーズな移行を図ることが可能となる。
【００４５】
（リアクトル設定方法）
次に、上述した配電系統システム１００の配電線１２０に連系される複数の分路リアクトル１４０を設定するリアクトル設定方法を説明する。
【００４６】
図７は、リアクトル設定方法の流れを示したフローチャートである。まず、配電系統システム１００に連系される複数の分路リアクトル１４０の投入が無効化され（Ｓ３００）、配電系統システム１００に連系された負荷が重負荷から軽負荷に低下したときの、系統電源１１０の送出電圧と、バンク電流と、複数の分路リアクトル１４０の各設置点の電圧と、が複数の時点で測定される（Ｓ３０２）。
【００４７】
十分な数の測定値が取得されると、測定された送出電圧とバンク電流との変動軌跡の近似曲線が導出され（Ｓ３０４）、その近似曲線が所定電圧範囲から外れる移行点が導出される（Ｓ３０６）。そして、その移行点における複数の分路リアクトル１４０の設置点のそれぞれの電圧が求められ、それぞれ対応する分路リアクトルの投入電圧として設定される（Ｓ３０８）。こうして、各分路リアクトル１４０にそれぞれ適切な投入電圧を設定することができる。
【００４８】
（第２の実施形態：配電系統システム４００）
第１の実施形態においては、分路リアクトル１４０の設置点の電圧を直接測定する構成を述べた。第２の実施形態では、新たな構成を加えなくとも電圧等の情報を取得できる開閉器等を通じて分路リアクトル１４０の設置点の電圧を間接的に測定する。
【００４９】
図８は、配電系統システム４００の概略的な構成を示す説明図である。ここで配電系統システム４００は、系統電源１１０と、配電線１２０と、負荷１３０と、分路リアクトル１４０と、開閉器４１０と、制御装置４１２とを含んで構成される。第１の実施形態における構成要素として既に述べた系統電源１１０と、配電線１２０と、負荷１３０と、分路リアクトル１４０とは、実質的に機能が同一なので重複説明を省略し、ここでは、構成が相違する開閉器４１０と、制御装置４１２とを主に説明する。
【００５０】
開閉器４１０は、自体の設置点における線路電圧および線路電流を測定し、配電系統システム４００における中央の制御装置４１２に送信する。
【００５１】
制御装置４１２は、配電系統システム４００に接続された複数の開閉器４１０からの線路電圧および線路電流を取得すると共に、系統電源１１０で測定された送出電圧とバンク電流とを取得する。さらに、制御装置４１２は、開閉器４１０に近設する分路リアクトル１４０の各設置点の電圧を、開閉器４１０の電圧および電流と、開閉器４１０と分路リアクトル１４０とを結ぶ配電線１２０の線路インピーダンスとから導出する。詳細には、開閉器４１０が分路リアクトル１４０の上流にあり、線路電流が開閉器４１０から分路リアクトル１４０に流れている場合、線路電流と線路インピーダンスとを積算した電圧を開閉器４１０の線路電圧から減算した結果を分路リアクトル１４０の設置点の電圧と推定する。
【００５２】
近年の開閉器４１０は、上述したように、配電系統システム４００における中央の制御装置４１２とリアルタイムな通信が可能であり、かつ、電圧や電流の測定機能が備わっている。本実施形態では、かかる既存の測定情報を利用して、送出電圧とバンク電流と同時に開閉器４１０の電圧と電流を測定し、線路インピーダンスを用いて分路リアクトル１４０の設置点における電圧を推定する。かかる既存の設備を有効利用する構成により、容易かつ低コストで配電系統システム４００の安全性を高めることが可能となる。
【００５３】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５４】
なお、本明細書のリアクトル設定方法における各工程は、必ずしもフローチャートとして記載された順序に沿って時系列に処理する必要はなく、並列的あるいはサブルーチンによる処理を含んでもよい。
【産業上の利用可能性】
【００５５】
本発明は、進相コンデンサによる位相進みを補償するリアクトル設定方法、配電系統システム、および分路リアクトルに適用可能である。
【図面の簡単な説明】
【００５６】
【図１】第１の実施形態における配電系統システムの概略的な構成を示す説明図である。
【図２】１つの配電線に複数の分路リアクトルを連系した場合の線路電圧の推移を説明した説明図である。
【図３】複数の配電線それぞれに１または複数の分路リアクトルを連系した場合の線路電圧の推移を説明した説明図である。
【図４】分路リアクトルおよび系統電源の構成を示したブロック図である。
【図５】移行点の導出を説明するためのイメージ図である。
【図６】投入電圧の設定を説明するための説明図である。
【図７】リアクトル設定方法の流れを示したフローチャートである。
【図８】第２の実施形態における配電系統システムの概略的な構成を示す説明図である。
【符号の説明】
【００５７】
１００、４００  …配電系統システム
１１０  …系統電源
１２０  …配電線
１３０  …負荷
１３２  …進相コンデンサ
１４０  …分路リアクトル
２１０  …無効化スイッチ
２１２  …リアクトル電圧測定部
２１４  …電圧設定部
２１６  …投入スイッチ
２１８  …リアクトル
２５０  …電源測定部
２５２  …移行点導出部
４１０  …開閉器
【図１】
2010068599.tif 000003
【図２】
2010068599.tif 000004
【図３】
2010068599.tif 000005
【図４】
2010068599.tif 000006
【図５】
2010068599.tif 000007
【図６】
2010068599.tif 000008
【図７】
2010068599.tif 000009
【図８】
2010068599.tif 000010